【手続補正書】
【提出日】平成29年8月25日(2017.8.25)
【手続補正１】
【補正対象書類名】特許請求の範囲
【補正対象項目名】全文
【補正方法】変更
【補正の内容】
【特許請求の範囲】
【請求項１】
光源からの光が被検体に照射されることにより発生した音響波を受信素子が受信して出力された電気信号を増幅する増幅部と、
前記増幅部のゲインを、前記受信素子が前記音響波を受信する時刻に応じて決定する制御部と、
前記電気信号を用いて前記被検体の特性情報を取得する処理部と、
を有し、
前記制御部は、前記受信素子と前記被検体との位置関係に応じて前記増幅部のゲインを決定する
ことを特徴とする被検体情報取得装置。
【請求項２】
前記被検体を保持する保持部材を取り付ける取付部をさらに有する
ことを特徴とする請求項１に記載の被検体情報取得装置。
【請求項３】
前記取付部は、互いに異なる複数の前記保持部材を交換可能に構成され、
前記被検体情報取得装置は、複数の前記保持部材に対応する複数のゲインを記録したメモリをさらに有し、
前記制御部は、前記取付部に取り付けられた前記保持部材の種類の情報を取得し、前記保持部材の種類の情報に基づいて前記取付部に取り付けられた前記保持部材に対応するゲインを前記メモリから読み出し、前記ゲインとして決定する
ことを特徴とする請求項２に記載の被検体情報取得装置。
【請求項４】
前記保持部材は、前記被検体を保持するカップ状の保持部材である
ことを特徴とする請求項２または３に記載の被検体情報取得装置。
【請求項５】
前記制御部は、前記受信素子から最も近い前記保持部材上の点までの距離に応じて前記増幅部のゲインを決定する
ことを特徴とする請求項２ないし４のいずれか１項に記載の被検体情報取得装置。
【請求項６】
前記制御部は、前記受信素子から最も近い前記保持部材上の点までの距離に基づいて決定される、当該受信素子が受信する前記音響波の減衰の程度に応じて、前記増幅部が前記
電気信号にかけるゲインを決定する
ことを特徴とする請求項５に記載の被検体情報取得装置。
【請求項７】
前記制御部は、前記受信素子から最も近い前記保持部材上の点までの距離に基づいて決定される、当該受信素子が前記被検体に由来する前記音響波の受信を開始する時刻の前と後で、前記増幅部が前記電気信号にかけるゲインを変更するように前記ゲインを決定することを特徴とする請求項５または６に記載の被検体情報取得装置。
【請求項８】
前記制御部は、前記受信素子から最も近い前記保持部材上の点までの距離に基づいて決定される、当該受信素子が前記被検体に由来する前記音響波の受信を開始する時刻から、前記増幅部が前記電気信号にゲインをかけるように前記ゲインを決定する
ことを特徴とする請求項５または６に記載の被検体情報取得装置。
【請求項９】
前記受信素子をさらに有する
ことを特徴とする請求項１ないし８のいずれか１項に記載の被検体情報取得装置。
【請求項１０】
複数の前記受信素子を備え、
前記複数の受信素子を、少なくとも一部の受信素子の指向軸が集まるように支持する探触子をさらに有する
ことを特徴とする請求項９に記載の被検体情報取得装置。
【請求項１１】
走査部をさらに有する
ことを特徴とする請求項１ないし１０のいずれか１項に記載の被検体情報取得装置。
【請求項１２】
前記走査部は、前記受信素子と前記被検体との相対的な位置を移動させる
ことを特徴とする請求項１１に記載の被検体情報取得装置。
【請求項１３】
前記受信素子と前記被検体の位置関係に対応するゲインを記録したメモリをさらに有し、
前記制御部は、前記受信素子と前記被検体の位置関係に応じたゲインを前記メモリから読み出し、前記増幅部のゲインとする
ことを特徴とする請求項１ないし１２のいずれか１項に記載の被検体情報取得装置。
【請求項１４】
前記制御部は、前記ゲインを、前記受信素子と前記被検体の位置関係に応じて計算することを特徴とする請求項１ないし１２のいずれか１項に記載の被検体情報取得装置。
【請求項１５】
前記制御部は、前記複数の受信素子を、前記探触子における位置に応じて複数のグループに分け、前記グループごとに前記ゲインを決定する
ことを特徴とする請求項１０に記載の被検体情報取得装置。
【請求項１６】
前記制御部は、前記光の照射点と前記被検体との位置関係および前記受信素子と前記被検体の位置関係に応じて、前記増幅部が前記電気信号にかけるゲインを決定する
ことを特徴とする請求項１ないし１５のいずれか１項に記載の被検体情報取得装置。
【請求項１７】
光源からの光が被検体に照射されることにより発生した音響波を受信素子が受信して出力された電気信号を増幅する増幅ステップと、
前記増幅ステップにおけるゲインを、前記受信素子が前記音響波を受信する時刻に応じて決定する制御ステップと、
前記電気信号を用いて前記被検体の特性情報を取得する処理ステップと、
を有し、
前記制御ステップでは、前記受信素子と前記被検体との位置関係に応じて前記増幅ステップにおけるゲインを決定する
ことを特徴とする信号処理方法。
【請求項１８】
前記被検体は、保持部材に保持されており、
前記制御ステップでは、前記受信素子から最も近い前記保持部材上の点までの距離に応じて前記増幅ステップにおけるゲインを決定する
ことを特徴とする請求項１７に記載の信号処理方法。
【請求項１９】
前記制御ステップでは、前記受信素子から最も近い前記保持部材上の点までの距離に基づいて決定される、当該受信素子が受信する前記音響波の減衰の程度に応じて、前記増幅ステップにおいて前記電気信号にかけるゲインを決定する
ことを特徴とする請求項１８に記載の信号処理方法。
【請求項２０】
前記制御ステップでは、前記受信素子から最も近い前記保持部材上の点までの距離に基づいて決定される、当該受信素子が前記被検体に由来する前記音響波の受信を開始する時刻の前と後で、前記増幅ステップにおいて前記電気信号にかけるゲインを変更するように前記ゲインを決定する
ことを特徴とする請求項１８または１９に記載の信号処理方法。
【請求項２１】
前記制御ステップでは、前記受信素子から最も近い前記保持部材上の点までの距離に基づいて決定される、当該受信素子が前記被検体に由来する前記音響波の受信を開始する時刻から、前記増幅ステップにおいて前記電気信号にゲインをかけるように前記ゲインを決定する
ことを特徴とする請求項１８または１９に記載の信号処理方法。
【請求項２２】
前記制御ステップでは、前記受信素子と前記被検体の位置関係に応じたゲインをメモリから読み出し、前記増幅ステップにおけるゲインとする
ことを特徴とする請求項１７ないし２１のいずれか１項に記載の信号処理方法。
【請求項２３】
前記制御ステップでは、前記ゲインを、前記受信素子と前記被検体の位置関係に応じて計算する
ことを特徴とする請求項１７ないし２１のいずれか１項に記載の信号処理方法。
【請求項２４】
前記受信素子は、探触子に指示された複数の受信素子であり、
前記制御ステップでは、前記複数の受信素子を、前記探触子における位置に応じて複数のグループに分け、前記グループごとに前記ゲインを決定する
ことを特徴とする請求項１７に記載の信号処理方法。
【請求項２５】
前記制御ステップでは、前記光の照射点と前記被検体との位置関係および前記受信素子と前記被検体の位置関係に応じて、前記増幅ステップで前記電気信号にかけるゲインを決定する
ことを特徴とする請求項１７ないし２４のいずれか１項に記載の信号処理方法。
【手続補正２】
【補正対象書類名】明細書
【補正対象項目名】発明の名称
【補正方法】変更
【補正の内容】
【発明の名称】被検体情報取得装置および信号処理方法
【手続補正３】
【補正対象書類名】明細書
【補正対象項目名】０００１
【補正方法】変更
【補正の内容】
【０００１】
本発明は、被検体情報取得装置および信号処理方法に関する。
【手続補正４】
【補正対象書類名】明細書
【補正対象項目名】０００７
【補正方法】変更
【補正の内容】
【０００７】
本発明は、以下の構成を採用する。すなわち、
光源からの光が被検体に照射されることにより発生した音響波を受信素子が受信して出力された電気信号を増幅する増幅部と、
前記増幅部のゲインを、前記受信素子が前記音響波を受信する時刻に応じて決定する制御部と、
前記電気信号を用いて前記被検体の特性情報を取得する処理部と、
を有し、
前記制御部は、前記受信素子と前記被検体との位置関係に応じて前記増幅部のゲインを決定する
ことを特徴とする被検体情報取得装置である。
本発明はまた、以下の構成を採用する。すなわち、
光源からの光が被検体に照射されることにより発生した音響波を受信素子が受信して出力された電気信号を増幅する増幅ステップと、
前記増幅ステップにおけるゲインを、前記受信素子が前記音響波を受信する時刻に応じて決定する制御ステップと、
前記電気信号を用いて前記被検体の特性情報を取得する処理ステップと、
を有し、
前記制御ステップでは、前記受信素子と前記被検体との位置関係に応じて前記増幅ステップにおけるゲインを決定する
ことを特徴とする信号処理方法である。